【手続補正書】
【提出日】平成18年4月17日(2006.4.17)
【手続補正１】
【補正対象書類名】明細書
【補正対象項目名】特許請求の範囲
【補正方法】変更
【補正の内容】
【特許請求の範囲】
【請求項１】  式（Ｉ）
【化１】
2002512270.tif 000001
［式中、Ｒ1は−ＮＨ2、または
【化２】
2002512270.tif 000002
（式中、Ｒ5は水素またはＣ1〜4−アルキルを示し、
ＸおよびＹは独立に、ハロゲンまたはヒドロキシまたはＣ1〜3−アルコキシまたはフェノキシまたは所望によりヒドロキシ、カルボキシ、アルコキシおよび／又はスルホン酸基によって置換された、アミン−窒素上でリンクされた環式、脂肪族、またはアラリファティックまたは芳香族アミンの基、またはアミン−窒素上でリンクされた複素環式アミンの残基（rest）を示す）を示し、
Ｚは、ハロゲン、またはアミン−窒素上でリンクされた環式、脂肪族、またはアラリファティック・アミンの基、またはアミン−窒素上でリンクされた複素環式アミンの残基を示し、
Ｒ2は、−ＮＨ2または
【化３】
2002512270.tif 000003
（式中、Ｒ5、ＸおよびＹについては上記定義と同様）を示し、またはＲ2は残基（ｂ）、
【化４】
2002512270.tif 000004
｛式中、Ｐは−ＳＯ3Ｈ、−ＣＯＯＨ、または、−ＯＨを示し、
Ｑは、−ＮＨ−基または
【化５】
2002512270.tif 000005
（式中、アステリスクは、フェニル環に結合した結合を示す）
から選ばれた基を示す）｝であり、
Ｚは上記と同様のものを示し、
ｎは、値０，１，２を有し、
Ｒ3は、−ＮＲ6（式中、Ｒ6は水素またはＣ1〜4−アルキル基を示す）を示し、
または、
Ｒ3が残基（ａ）
【化６】
2002512270.tif 000006
（式中、全ての置換基が上記定義と同様の意味を有する）であり、
Ｒ4は、水素またはＣ1〜4−アルキルを示し、
Ｔ1およびＴ2は、互いに独立に、水素、ハロゲン、Ｃ1〜6−アルキルまたはＣ1〜4−アルコキシを示し、
Ｍは、水素またはカチオンを示す］
の化合物、それらの塩、およびこのような化合物および／又は塩の混合物。
【請求項２】  Ｚが、ハロゲン、またはヒドロキシ、カルボキシ、アルコキシおよび／又はスルホン酸基によって置換された、アミン−窒素上でリンクされた環式、脂肪族、またはアラリファティック・アミンの基を示す請求項１に従う化合物。
【請求項３】  （ｉ）Ｒ1およびＲ2が−ＮＨ2であるとき、Ｒ3は、
【化７】
2002512270.tif 000007
（式中、Ｐ、Ｑ、Ｚおよびｎは、上記定義と同様の意味を有する）であり、
（ｉｉ）Ｒ1が−ＮＨ2で、Ｒ2が、
【化８】
2002512270.tif 000008
（式中、Ｐ、Ｑ、Ｚおよびｎは、上記定義と同様の意味を有する）
であるときには、Ｒ3が−ＮＨである、
との条件を有する請求項１に従う化合物、それらの塩、およびこのような化合物および／又は塩の混合物。
【請求項４】  Ｒ1およびＲ2の両方が、
【化９】
2002512270.tif 000009
（式中、Ｒ5が水素またはＣ1〜4−アルキルを示す）を示し、および
Ｒ3は、−ＮＲ6（式中、Ｒ6は水素またはＣ1〜4−アルキル基を示す）を示す請求項１に従う化合物、それらの塩、およびこのような化合物および／又は塩の混合物。
【請求項５】  基Ｘ、ＹおよびＺは、発色団を含まない請求項１〜４に従う化合物または混合物。
【請求項６】  任意のアミンＨ−Ｘ、Ｈ−ＹまたはＨ−Ｚが５０〜５００の範囲の分子量を有する請求項１〜５のいずれか一つに従う化合物または混合物。
【請求項７】  任意のアミンＨ−Ｘ、Ｈ−ＹまたはＨ−Ｚが環を含まないか、または１〜４個の環を含む請求項１〜６のいずれか一つに従う化合物または混合物。
【請求項８】  少なくとも１個のアミン基Ｘ、ＹおよびＺが、少なくとも１個の親水性基を含む請求項１〜７のいずれか一つに従う化合物または混合物。
【請求項９】  個々の親水性基または置換基が独立にアニオン性、カチオン、または非イオノゲン性である請求項８に従う化合物または混合物。
【請求項１０】  Ｈ−ＸおよびＨ−Ｙが、独立に、アンモニアおよび脂肪族アミン、芳香族アミン、および複素環式アミン、および１，２−ジアミノプロパンであり、且つＨ−Ｚが芳香族アミンを除いて同じ意味を有することを特徴とする請求項１〜９のいずれか一つに従う化合物または混合物。
【請求項１１】  脂肪族アミンが、ヒドロキシ、カルボキシ、アルコキシおよび／又はスルホン酸基で置換され；芳香族アミンが、カルボキシおよび／又はスルホン酸基で置換され；複素環式アミンが、モルホリン、ピペラジンまたはヒドロキシエチルピペラジン；またはＮ，Ｎ−ジエチルアミノプロピルアミンであるることを特徴とする請求項１０に従う化合物または混合物。
【請求項１２】  Ｍが水素または無色のカチオンであるか、またはＭが分子内塩を形成するためのカチオン電荷を含有する置換基Ｘ、ＹまたはＺ中のカチオン性部分である請求項１〜１１のいずれか一つに従う化合物または混合物。
【請求項１３】  ａ）請求項１に従う式（Ｉａ）
【化１０】
2002512270.tif 000010
（式中、Ｒ3’が式（ａ）の二価の基であり、Ｒ2’が−ＮＨ2であり、およびＺが請求項１における定義と同様の意味を有する）
の化合物、
ｂ）Ｒ3’が−ＮＨ−であり、Ｒ2’が式（ｂ）の基であり、およびＺが請求項１における定義と同じ意味を有する上記式（Ｉａ）の化合物、
ｃ）式（ＩＩｃ）の化合物式（ＩＩ）
【化１１】
2002512270.tif 000011
（式中、Ｑ、Ｐおよびｎが上記定義と同様の意味を有し、Ｚ’がＺと同様の定義を有し、追加的にＺ’が芳香族アミンであってもよい）
の化合物、
ｄ）Ｚ’がハロゲンを除いて上記定義と同様の意味を有する式（ＩＩ）の化合物、
ｅ）式（ＩＩＩ）
【化１２】
2002512270.tif 000012
（式中、Ｚ’がＺと同様の定義を有し、追加的にＺ’が芳香族アミンであってもよい）
の化合物、
またはこのような化合物の塩を含む混合物。
【請求項１４】  請求項１３に従う混合物であって；該混合物が、
ａ）式（Ｉａ）
【化１３】
2002512270.tif 000013
（式中、Ｒ3’が式（ａ）の二価の基であり、Ｒ2’が−ＮＨ2であり、およびＺが請求項１における定義と同じ意味を有する）
の化合物、
ｂ）Ｒ3’が−ＮＨ−であり、Ｒ2’が式（ｂ）の基であり、およびＺが請求項１における定義と同じ意味を有する上記式（Ｉａ）の化合物、
ｃ）式（ＩＩｃ）の化合物  式（ＩＩ）
【化１４】
2002512270.tif 000014
（式中、Ｑ、Ｐおよびｎが上記定義と同じ意味を有し、Ｚ’がＺと同様の定義を有し、追加的にＺ’が式（ｃ）
【化１５】
2002512270.tif 000015
の基である）
の化合物、
ｄ）Ｚ’が式（ｄ）
【化１６】
2002512270.tif 000016
の基である式（ＩＩ）の化合物、
ｅ）式（ＩＩＩ）
【化１７】
2002512270.tif 000017
（式中、Ｚ’がＺと同様の定義を有し、追加的にＺ’が芳香族アミンであってもよい）
の化合物、
またはこのような化合物の塩を含むことを特徴とする混合物。
【請求項１５】  およそ
３０〜４０％の成分ａ）、
３０〜４７％の成分ｂ）、
１．５〜８％の成分ｃ）、
２〜１１％の成分ｄ）、および
１２．５〜２３．５％の成分ｅ）
を、そのアルカリ金属塩の形で含む請求項１３に従う混合物。
【請求項１６】  請求項１におけると同様の置換基の定義を有する請求項１に従う式（Ｉｂ）
【化１８】
2002512270.tif 000018
の製造方法であって；１モルの式（ＩＶ）
【化１９】
2002512270.tif 000019
の化合物、または式（Ｉｂ）におけると同様の置換基の定義を有する式（ＩＶ）の化合物の混合物を、式（Ｖ）
【化２０】
2002512270.tif 000020
｛式中、Ｈａｌがハロゲン、好ましくは塩素を示し、ＸおよびＹは独立に、請求項１における定義と同様の意味を有する｝
の少なくとも１個の化合物の２モルと脱ハロゲン化水素条件下で反応させ、そして、もし式（Ｉｂ）においてＸおよびＹのいずれか一つがハロゲン以外の意味を有し、他方、式（Ｖ）において対応するＸまたはＹがハロゲンを示し、および／またはもし式（Ｉｂ）においてＺがハロゲン以外の意味を有するならば、式（ＶＩ）
【化２１】
2002512270.tif 000021
（式中、式（Ｉｂ）におけると同様の置換基の定義を有する）
の得られた縮合生成物を、酸化の前にまたは酸化と同時に、式Ｈ−Ｘ、Ｈ−Ｙおよび／又はＨ−Ｚの少なくとも１個の対応するアミン、および／又はアルカリ金属Ｃ1〜3−アルコラートまたはフェノラートと反応させる方法。
【請求項１７】  請求項１〜１０に従う式（Ｉａ）の化合物、それらの塩およびこのような化合物および／又は塩の混合物の製造方法であって、
式（ＶＩＩＩ）
【化２２】
2002512270.tif 000022
｛式中、いずれかのＲ3”は、式（ａ’）
【化２３】
2002512270.tif 000023
（式中、Ｐ、Ｑおよびｎが上記定義と同じ意味を有する）
の二価の基であり、
Ｒ2”が、−ＮＨ2であるか；または、
Ｒ3”が−ＮＨ−であり、Ｒ2”が式（ｂ’）
【化２４】
2002512270.tif 000024
（式中、Ｐ、Ｑおよびｎが上記定義と同様の意味を有する）
の基である｝の化合物、または
このような化合物の混合物とアミンＨ−ＺまたはＨ−Ｚ’とを反応させることを含む方法。
【請求項１８】  請求項１３に従う混合物の製造方法であって、
ａ）式（ＩＸ）
【化２５】
2002512270.tif 000025
の化合物を、約１当量の２，４，６−トリクロロトリアジンと反応させ；
ｂ）このように得られた式（Ｘ）
【化２６】
2002512270.tif 000026
の化合物を、１，４−ジアミノベンゼン−２−スルホン酸と反応させ；
ｃ）このように得られた生成物を、上記式（Ｘ）の化合物の他の部分と反応させ；
ｄ）このように得られた式（ＶＩＩＩ）の生成物を、アミンＨ−ＺまたはＨ−Ｚ’と反応させ；そして、
ｅ）所望により、このように得られた式（Ｉ）、（ＩＩ）、および（ＩＩＩ）の化合物の混合物を塩の混合物に変換するか、またはこのように得られた塩の混合物を、式（Ｉ）、（ＩＩ）、および（ＩＩＩ）の化合物の混合物に、または、他の塩の混合物に変換することを含む方法。
【請求項１９】  請求項１８の方法によって得られた混合物。
【請求項２０】  請求項１〜１２のいずれか一つに従う式（Ｉ）の少なくとも１個の色素またはその塩、またはこのような化合物および／又は塩の混合物または請求項１３に従う混合物を含む色素組成物。
【請求項２１】  限外濾過によって得られた請求項２０に従う組成物を含む液体着色配合物。
【請求項２２】  請求項１〜１２のいずれか一つに従う式（Ｉ）の化合物または請求項１３に従う混合物の、基材を着色またはプリントするための色素としての、またはプリントインクの成分としての使用。
【請求項２３】  着色またはプリントされるべき基材が、紙または紙ベースの材料である請求項２２に従う使用。
【請求項２４】  請求項２２に従って着色またはプリントされた基材。
【請求項２５】  着色またはプリントされた基材が紙または紙ベースの材料である請求項２４に従う基材。
【請求項２６】  請求項１〜１２の化合物、それらの塩、またはこのような化合物および／又は塩の混合物、または請求項１３に従う混合物を用いることを特徴とするインクジェットインクの製造方法。
【請求項２７】  請求項１６の方法によって製造されたインクジェットインク。